【手続補正書】
【提出日】平成21年8月28日(2009.8.28)
【手続補正１】
【補正対象書類名】明細書
【補正対象項目名】全文
【補正方法】変更
【補正の内容】
【書類名】      明細書
【発明の名称】  遊技機
【特許請求の範囲】
【請求項１】
樹脂材料を用いて形成された遊技盤の表面に、遊技球が流下する態様を変化させ得る多数の軸状部材を有する遊技機であって、
前記軸状部材の全部または一部は、軸状部と、当該軸状部が設けられた被係止部とを備えるとともに、前記被係止部が前記遊技盤に設けられた係止部に係合することで前記遊技盤に止着され、当該係合が解除されることで前記遊技盤から脱着される構成の着脱部材であり、
前記着脱部材が前記遊技盤に止着されたとき、前記軸状部は前記遊技盤の表面に直交する方向に対し所定の傾斜角度をなすように設定されることを特徴とする遊技機。
【請求項２】
請求項１に記載の遊技機であって、
前記被係止部は、当該被係止部を前記着脱部材の軸まわりに回転させた複数の位置において前記係止部に係合可能であることを特徴とする遊技機。
【請求項３】
請求項２に記載の遊技機であって、
前記被係止部は、前記着脱部材が延在する方向と直交する方向に関する断面形状が多角形を形成する部位を有することを特徴とする遊技機。
【発明の詳細な説明】
【０００１】
【発明の属する技術分野】
本発明は、遊技機を構成する遊技盤の構築技術に関する。
【０００２】
【従来の技術】
従来、パチンコ機のような遊技機において、遊技盤に取り付けられた遊技釘の釘調整を行うことがある。
例えば、木質製の遊技盤に打ち込まれた遊技釘の釘調整を行う場合には、対象となる遊技釘をハンマー等によって叩くことによって遊技釘の傾斜度合いを調整するのが一般的である。ところが、ハンマー等を用いたこのような釘調整は特殊な技能を要するという問題がある。
一方、近年、遊技機におけるビジュアル演出の要請に鑑み、遊技盤を樹脂製にする技術が公知である（例えば、特許文献１参照。）。遊技盤を樹脂製にすることによって、表示装置が大型化しても遊技盤の遊技領域が狭くなるのを回避するのに有効である。ところが、このような樹脂製の遊技盤においてもやはり釘調整に関する問題が懸念される。すなわち、例えば樹脂製の遊技釘を遊技盤に一体成形する場合には、遊技盤に一体成形された遊技釘の釘調整を行うことはできない。また、金属製の遊技釘を樹脂製の遊技盤に固着する場合には、遊技釘の固着強度に限界があるうえ、たとえ遊技釘を遊技盤に固着したとしても一旦固着した釘調整を行うのが難しい。従って、単に遊技盤を樹脂製にするという技術を、遊技釘の釘調整に対する必要性が高い遊技機の構成として用いるのには限界がある。
【０００３】
【特許文献１】
特開２０００−８４１６４号公報
【０００４】
【発明が解決しようとする課題】
そこで、本発明は、かかる点に鑑みてなされたものであり、遊技機において、遊技盤の合理的な構築技術を提供することを課題とする。
【０００５】
【課題を解決するための手段】
前記課題を達成するために、上記請求項に記載の発明が構成される。なお、本発明は、遊技機において、遊技盤に取り付けられた遊技釘ないし当該遊技釘に相当する軸状部材の調整が確実に行われるようにすることによって、遊技盤の合理的な構築技術を実現するという技術である。
【０００６】
本発明にかかる遊技機では、樹脂材料を用いて形成された遊技盤の表面に多数の軸状部材が取り付けられる。例えば、遊技盤の全体または一部を所定の樹脂材料によって構成したり、あるいは異なる種類の樹脂材料によって形成された部材を組み合わせることによって遊技盤の全体または一部を構成することができる。軸状部材は、遊技盤の表面に形成される遊技領域において流下する遊技球の流下態様、例えば流下方向、流下時間等を変化させることができる部材であり、典型的には軸部と頭部からなる遊技釘（障害釘）が当該部材に相当する。その他、ピン状の部材、ネジ部材等であっても、軸状に延在する部位を有する部材であれば、本発明における「軸状部材」の範疇に含まれるものとする。
【０００７】
本発明では、軸状部材の全部または一部を着脱部材とする。この着脱部材は、軸状部と、当該軸状部が設けられた被係止部とを備える。例えば、軸状部と被係止部を樹脂材料により一体成形することによって着脱部材を構成したり、あるいは樹脂製の被係止部に金属製の軸状部をインサート成形することによって着脱部材を構成することができる。
一方、遊技盤には被係止部に対応した係止部が設けられている。例えば、被係止部を凸形状とし係止部をこの凸形状が嵌まり込み可能な凹形状とする構成や、被係止部を凹形状とし係止部をこの凹形状に嵌まり込み可能な凸形状とする構成などがある。従って、着脱部材は、被係止部が係止部に係合することで遊技盤に止着され（取り付けられ）、当該係合が解除されることで遊技盤から脱着されることとなる。なお、着脱部材は、係止部を介して遊技盤に止着可能であればよく、止着の強弱は問わない。
【０００８】
本発明では、特に、着脱部材が遊技盤に止着されたとき、軸状部は遊技盤の表面に直交する方向に対し所定の傾斜角度をなすように設定される。この傾斜角度は、種々の値を採り得る。例えば、遊技盤の表面に直交する方向に対し軸状部が所定の傾斜角度で傾斜している態様や、遊技盤の表面に直交する方向に沿って軸状部が延在し当該軸状部が傾斜していない態様、すなわち傾斜角度が０（零）となる態様がある。
【０００９】
本発明のこのような構成によれば、着脱部材における軸状部の傾斜角度の調整を確実に行うことが可能となる。例えば、軸状部の傾斜角度が異なる複数種類の着脱部材を予め準備しておけば、これらを遊技盤に付け替えることによって、遊技盤に着脱部材が取り付けられたときの軸状部の傾斜角度を容易に調整（変更）することが可能となる。通常、木質製の遊技盤において、軸状部材に相当する遊技釘の釘調整を行う場合は、遊技盤に打ち込まれた遊技釘をハンマー等によって叩くことによって遊技釘の傾斜度合いを調整するのが一般的であるが、本発明によれば、ハンマー等を用いて行う特殊な技能がなくても、着脱部材を付け替えるのみで釘調整に相当する作業を行うことができ、また調整精度を一定に維持することができるため合理的である。
【００１０】
また、本発明のこのような構成によれば、遊技盤を樹脂製にすることで、表示装置が大型化しても遊技盤の遊技領域が狭くなるのを回避することができる。そのうえ、着脱部材を遊技盤から取り外すことが可能であるため、分解性の高い遊技盤を実現することができる。従って、遊技盤自在を樹脂材料によって形成することに加え、遊技盤を分解性の高い構造にすることによって、リサイクル性に優れた遊技盤および遊技機を構築することが可能となる。
【００１１】
また本発明にかかる更なる形態の遊技機では、着脱部材の被係止部は、当該被係止部を着脱部材の軸まわりに回転させた複数の位置において係止部に係合可能となっている。例えば、被係止部において着脱部材が延在する方向と直交する方向に関する断面形状が多角形となる構成が典型的な例である。その他、当該被係止部が複数の位置において係止部に係合可能であれば、その断面形状が多角形以外の形、例えば星形、楕円形等、種々の形となる構成であってもよい。このような構成によれば、所定の着脱部材を回転させて遊技盤に取り付けることによって、遊技盤の表面に直交する方向に対する当該着脱部材の軸状部の傾斜角度を確実に調整することができる。
【００１２】
また本発明にかかる更なる形態の遊技機では、被係止部は、着脱部材が延在する方向と直交する方向に関する断面形状が多角形（好ましくは正多角形）を形成する部位を有する。例えば、被係止部に多角柱を有する形状を設ける構成が典型的な例である。このような構成によれば、所定の着脱部材を回転させて遊技盤に取り付ける際の取り付け構造を簡素化することができる。特に、頂点の数が多い多角形（円形に近い多角形）とすることで、軸状部の傾斜角度の調整に関するバリエーションを増やすのに有効である。
【００１３】
【発明の実施の形態】
以下に、本発明の遊技機の一実施の形態であるパチンコ機１０１につき図面を参照しつつ詳細に説明する。まず、図１〜図５に基づいて本実施の形態のパチンコ機１０１の構成を説明する。ここで、図１は本発明の遊技機の一実施の形態であるパチンコ機１０１の遊技盤１０３の全体構成を示す図である。図２は図１中の着脱部材１２０に対応した箇所における遊技盤１０３の断面図である。図３は着脱部材１２０の側面図である。図４は着脱部材１２０を基部１２２側からみた図である。図５は挿入孔１３０を遊技盤１０３の表面側からみた図である。図４および図５において示す各部材は、図２および図３に示すよりも拡大して示している。なお、本実施の形態は、本発明を「遊技機」のひとつであるパチンコ機に適用したものである。
【００１４】
図１に示すパチンコ機１０１は、いわゆる「第１種パチンコ機」と呼称される機種である。このパチンコ機１０１の遊技盤１０３の表面に形成された遊技領域１０５には、第１種始動口１１０、表示装置１１１、大入賞口（図示省略）を開閉する開閉部材１１２、通過口１１３、風車１１４、各種の入賞口１１５、多数の遊技釘１１６等が配置されている。表示装置１１１は、第１種始動口１１０に遊技球（パチンコ球）が入賞すると、表示画面１１１ａに大当たりに関与する図柄や背景の変動を開始する。大当たりの場合は、表示装置１１１に大当たり図柄の配列が表示されるとともに、開閉部材１１２が開閉動作される大当たり遊技状態となる。通過口１１３は、遊技球が通過したことを検出する。風車１１４は、遊技球の流下経路を、例えば風車１１４の右側ないし左側へと変える機能を有する。入賞口１１５は、当該入賞口１１５に入賞した個数にしたがって賞球を付与する。遊技釘１１６は、遊技球の流下態様（流下方向、流下時間等）に影響を与える釘であり、遊技盤１０３面の必要箇所に多数配置されている。この遊技釘１１６が本発明における「軸状部材」に対応している。
【００１５】
本実施の形態の遊技盤１０３は、盤全体が樹脂製の板状部材、例えば透明性の高いポリカーボネート樹脂によって構成されている。この遊技盤１０３が、本発明における「遊技盤」に対応している。この遊技盤１０３は、盤全体が樹脂材料によって形成されているためリサイクル性に優れている。また、透明性の高い樹脂によって形成された遊技盤１０３を用いることにより、遊技者は、遊技盤１０３の裏面側に配置される表示装置１１１の表示画面１１１ａを遊技盤を通して視認可能となるため、遊技領域１０５を狭くすることなく表示装置１１１を大型化するのに有効である。表示装置１１１を大型化することにより、ビジュアル演出に対する要請にこたえることができ、遊技に対する遊技者の興趣を高めることができる。
【００１６】
図１に示すように、遊技盤１０３に取り付けられる全ての遊技釘１１６のうち、その一部として着脱部材１２０が用いられている。この着脱部材１２０が、本発明における「着脱部材」に対応している。なお、図１では、遊技釘１１６のうち着脱部材１２０を黒塗りの丸によって示し、その他の遊技釘を白抜きの丸によって示す。この着脱部材１２０としては、遊技釘１１６のうち釘調整を行うことが予想される釘が選定される。例えば、第１種始動口１１０の上流、開閉部材１１２の上流、通過口１１３の上流、風車１１４の上流および下流、入賞口１１５の上流等に着脱部材１２０が配置される。釘調整を必要としないその他の遊技釘１１６は、遊技盤１０３に一体成形されている。当該遊技釘１１６を、樹脂盤１０３と同様に透明性の高いポリカーボネート樹脂によって構成することにより、当該遊技釘１１６が表示装置１１１の表示画面１１１ａの前面に配置された場合であっても、表示画面１１１ａの視認性が低下するのを防止することができる。なお、図１中の白抜きの丸によって示す遊技釘１１６を、必要に応じて本実施の形態の着脱部材１２０に変更することもできる。
【００１７】
本実施の形態の着脱部材１２０は、遊技盤１０３に対し着脱（止着ないし脱着）可能に構成されている。以下、この着脱部材１２０および遊技盤１０３の詳細な構成を図２〜図５を参照しながら説明する。
【００１８】
図２〜図４に示すように、着脱部材１２０は、釘部１２１と、当該釘部１２１が設けられた基部１２２等を備え、例えば、これら釘部１２１および基部１２２が樹脂材料を用いて一体成形されている。
【００１９】
着脱部材１２０の釘部１２１は、遊技領域１０５に露出する箇所が他の遊技釘１１６と同様に釘状に形成されている。釘部１２１は、着脱部材１２０の延在する方向に対し所定の傾斜角度θをなす状態で基部１２２に設けられている。着脱部材１２０の延在する方向は、遊技盤１０３の表面１０３ａに直交する方向と合致する。この釘部１２１が、本発明における「軸状部」に対応している。なお、この釘部１２１の形状としては、釘状の構成以外に、頭部を有していないピン状の構成を用いることもできる。
【００２０】
着脱部材１２０の基部１２２は、第１凸部１２３、第２凸部１２４、鍔部１２５を備えている。この基部１２２が、本発明における「被係止部」に対応している。図４に示すように、第１凸部１２３はその外周部分に十二面構造を有する。すなわち、第１凸部１２３は、縦断面形状が十二角形（正十二角形）である十二角柱となっている。第２凸部１２４および鍔部１２５は、基部１２２の外径方向へ突出するように構成されている。なお、基部１２２の第１凸部１２３の断面形状が、他の多角形（好ましくは四角形以上）となるように構成することもできる。基部１２２のこの構成が、本明細書中の態様３（後述する）における「被係止部は、着脱部材が延在する方向と直交する方向に関する断面形状が多角形を形成する部位を有する。」との構成に相当する。
【００２１】
また、図４に示すように、本実施の形態では、着脱部材１２０の鍔部１２５に表示部１２６が設けられている。この表示部１２６が、本明細書中の態様４（後述する）における「表示部」に対応している。
表示部１２６には、釘部１２１の傾斜角度θに関する情報（傾斜の大きさ、傾斜の方向など）が表示（記載）される。本実施の形態では、表示部１２６に、例えば「↑１」が表示されている場合、その表示がなされている着脱部材１２０では釘部１２１が上方に１°傾斜していることを意味する。その他の例としては、釘部１２１が下方に２°傾斜している場合、表示部１２６に例えば「↓２」を表示し、釘部１２１がいずれの方向にも傾斜していない（傾斜角度θが０（零）である）場合、表示部１２６に例えば「０」を表示する。このような構成によれば、作業者は、取り付ける着脱部材が所望のものであることを一目で確認することができるため、作業の確実性が増すこととなる。
【００２２】
一方、遊技盤１０３には、図５に示すように、表面１０３ａから裏面１０３ｂへ向けて凹んだ挿入孔１３０が設けられている。この挿入孔１３０が、本発明における「係止部」に対応している。挿入孔１３０は、着脱部材１２０の基部１２２に対応した形状になっている。すなわち、挿入孔１３０は、基部１２２の第１凸部１２３が係合（嵌合）可能な形状の第１凹部１３１、基部１２２の第２凸部１２４が係合（嵌合）可能な形状の第２凹部１３２、鍔部１２５の外周部分が当接可能な当接部１３３を有する孔である。
【００２３】
次に、上記構成の着脱部材１２０を遊技盤１０３に取り付ける際の態様を図２および図６を参照しながら説明する。ここで、図６は遊技盤１０３の挿入孔１３０に着脱部材１２０を取り付ける様子を示す図である。
【００２４】
着脱部材１２０を遊技盤１０３に取り付けるときには、図６に示すように、遊技盤１０３の挿入孔１３０へ向けて図中の矢印の方向へ着脱部材１２０の基部１２２を挿入する（押し込む）。鍔部１２５が挿入孔１３０の当接部１３３に当接するまで着脱部材１２０が押し込まれると、基部１２２と挿入孔１３０とが係合する。すなわち、第１凹部１３１に第１凸部１２３が係合（嵌合）し、第２凹部１３２に第２凸部１２４が係合（嵌合）する。このとき、十二面構造を有する第１凸部１２３と第１凹部１３１との係合作用により、着脱部材１２０に対し軸回りの回り止め効果が付与されることとなる。
【００２５】
また、第２凸部１２４と第２凹部１３２との係合作用により、着脱部材１２０に対しその挿入方向と反対の方向への抜け止め効果が付与されることとなる。この第２凸部１２４と第２凹部１３２との係合構造は、いわゆる「スナップフィット」と称呼される嵌め込み式の構造である。従って、第２凸部１２４と第２凹部１３２との係合状態において所定の保持力が作用する一方、当該保持力に打ち勝つ力が作用することによって係合状態の解除が許容されている。なお、その他の嵌め込み式の構造としては、特に図示しないものの、爪形状の部位同士が引っ掛かることによって、所定の保持力が作用するような構造を用いることもできる。
【００２６】
かくして、基部１２２が挿入孔１３０によって係止され、図２に示すように着脱部材１２０が遊技盤１０３に止着される（取り付けられる）。着脱部材１２０が遊技盤１０３に取り付けられた状態では、図２に示すように、着脱部材１２０のうちの釘部１２１が遊技盤１０３の表面１０３ａ側に露出した状態となる。この状態において、釘部１２１は遊技盤１０３の表面１０３ａに直交する方向に対し所定の傾斜角度θをなすように設定される。
一旦遊技盤１０３に取り付けられた着脱部材１２０は、第２凸部１２４と第２凹部１３２との間に作用する保持合力に打ち勝つ力で上記挿入方向と反対の方向に引く抜かれることによって、遊技盤１０３から取り外される。
なお、着脱部材１２０を引く抜く作業を専用の工具を用いて行うことができる構成としてもよいし、あるいは手作業によって行うこともできる構成としてもよい。専用の工具を用いる場合、特に図示しないものの、着脱部材１２０の鍔部１２５に工具差し込み用の隙間（切り欠きなど）を設けるのが有効である。
【００２７】
ここで、上記構成の遊技機１０１において行う着脱部材１２０の調整作業について説明する。なお、本実施の形態における「調整作業」は、一般にハンマー等を用いて遊技釘の傾斜度合いを調整する作業、いわゆる「釘調整」と称呼される作業に相当するものであり、着脱部材１２０が遊技盤１０３に装着された状態における釘部１２１の傾斜角度θを調節する作業のことである。
【００２８】
着脱部材１２０の調整作業としては、以下のような形態がある。
第１の形態では、釘部１２１の傾斜角度θの異なる複数種類の着脱部材１２０を予め準備しておき、これらを取り替えて遊技盤１０３に取り付ける。例えば、釘部１２１が上方に１°傾斜している着脱部材１２０にかえて、釘部１２１が下方に２°傾斜している着脱部材１２０を遊技盤１０３に取り付ける。
一方、第２の形態では、一種類の着脱部材１２０を用い、当該着脱部材１２０をその回転位置を変えて遊技盤１０３に取り付ける。具体的には、所定の着脱部材１２０を回転させ、例えば第１凸部１２３における所定の頂点（図４中に示す頂点１２３ａ）を、第１凹部１３１の第１の頂点（図５中に示す頂点１３１ａ）から第２の頂点（図５中に示す頂点１３１ｂ）へとずらしたうえで、当該着脱部材１２０を遊技盤１０３に取り付ける。この形態が、本明細書中の態様２（後述する）における「被係止部は、当該被係止部を着脱部材の軸まわりに回転させた複数の位置において係止部に係合可能である。」との内容に相当する。
また、これら第１の形態と第２の形態を複合した形態、すなわち、傾斜角度θの異なる複数種類の着脱部材１２０を付け替えるとともに、着脱部材１２０の回転位置をも変えるような形態を用いることもできる。
【００２９】
本実施の形態の遊技盤１０３のこのような構成によれば、遊技盤１０３を所定の樹脂材料で構成した場合であっても、着脱部材１２０における釘部１２１の傾斜角度の調整を行うことが可能となる。特に、本実施の形態によれば、ハンマー等を用いて行う特殊な技能がなくても、着脱部材１２０を付け替えるのみで釘調整に相当する作業を行うことができ、また調整精度を一定に維持することができるため合理的である。また、本実施の形態では、第１凸部１２３の縦断面形状を正十二角形としたため、着脱部材１２０を回転させて遊技盤１０３に取り付ける際の取り付け構造を簡素化することができ、また釘部１２１の傾斜角度θを細かく調整するのに有効である。
【００３０】
また、本実施の形態の遊技盤１０３のこのような構成によれば、遊技盤１０３を樹脂製にすることで、表示装置１１１が大型化しても遊技盤１０３の遊技領域が狭くなるのを回避することができる。そのうえ、着脱部材１２０を遊技盤から取り外すことが可能であるため、分解性の高い遊技盤１０３を実現することができる。また、本実施の形態では、遊技盤１０３のみならず、着脱部材１２０や遊技釘１１６をも全て樹脂材料によって構成されている。従って、遊技盤１０３全体を樹脂材料によって形成することに加え、遊技盤１０３を分解性の高い構造にすることによって、リサイクル性に優れた遊技盤を構築することが可能となる。
【００３１】
（他の実施の形態）
なお、本発明は上記実施の形態のみに限定されるものではなく、本実施の形態に基づいた種々の応用例や変更例を想到することができる。例えば、本実施の形態を応用した以下の形態を実施することもできる。
【００３２】
上記実施の形態では、釘部１２１および基部１２２が樹脂材料を用いて一体成形することで着脱部材１２０を構成する場合について記載したが、これら釘部１２１および基部１２２を別々の材質によって構成することもできる。例えば、図７に示す着脱部材２２０では、インサート成形によって樹脂製の基部１２２に対し金属製の釘部１２１が取り付けられている（固着されている）。図７では、釘部１２１のうち基部１２２に埋め込まれた部位を破線で示している。このような構成においても、分解時において金属製の釘部１２１を基部１２２から抜き出すことが可能であり、分解性の高い構造となる。なお、図７において図２中に示す構成要素と同一の構成要素には同一の符号を付しており、当該構成要素についての説明は省略する。
【００３３】
また、着脱部材１２０を遊技盤１０３に取り付けたとき、互いに係合する基部１２２および挿入孔１３０の形状は上記実施の形態に限定されない。例えば、断面形状が正十二角形である第１凸部１２３の形状にかえて、更に頂点の数が多い多角形（円形に近い形状の多角形）とすることもできる。これにより、釘部１２１の傾斜角度θの調整に関するバリエーションが更に増すこととなる。
【００３４】
例えば、図８に示す構成の着脱部材３２０と、図９に示す構成の挿入孔３３０とを用いることもできる。なお、図８および図９において図４中および図５中に示す構成要素と同一の構成要素には同一の符号を付しており、当該構成要素についての説明は省略する。
図８に示す着脱部材３２０の第１凸部３２３は、円柱部３２３ａの径方向へ突出する突起３２３ｂを備えている。一方、図９に示す挿入孔３３０には、円柱部３２３ａに対応した形状の凹部３３１と、突起３２３ｂに対応した形状の溝部３３２が複数（図９では等間隔で１２個）設けられている。このような構成によれば、上記実施の形態と同様に、釘部１２１の傾斜角度θの異なる複数種類の着脱部材３２０を取り替えて遊技盤１０３に取り付けることによって、釘部１２１の傾斜角度θを調整することができる。また、所定の着脱部材３２０を回転させ、突起３２３ｂを所定の溝部３３２から別の溝部３３２へとずらしたうえで、当該着脱部材３２０を遊技盤１０３に取り付けることによって、釘部１２１の傾斜角度θを調整することができる。従って、上記実施の形態と同様の作用効果を奏することとなる。
【００３５】
また、遊技盤１０３のうち上記実施の形態とは別の箇所に着脱部材１２０の構成を用いることもできる。例えば図１０に示すように、遊技盤１０３のうち表示装置１１１の表示画面１１１ａの前面に着脱部材１２０が取り付けられる構成を用いることもできる。
【００３６】
また、上記実施の形態では、１つの釘部１２１に対し１つの着脱部材１２０を用いる構成について記載したが、１つの着脱部材の基部１２２に複数の釘部１２１を取り付け、複数の釘部１２１をブロック化した構成を用いることもできる。
【００３７】
また、上記実施の形態では、例えばポリカーボネート樹脂によって形成された遊技盤１０３について記載したが、遊技盤を構成する樹脂材料の種類は、必要に応じて種々変更可能である。例えば、ポリカーボネート樹脂よりも透明性の低い樹脂材料を用いることもできる。
【００３８】
また、上記実施の形態や種々の変更の形態に鑑み、本発明では以下の態様１〜態様３に記載の構成を採り得る。
【００３９】
（態様１）
「請求項１〜３のいずれかに記載の遊技機であって、
前記着脱部材は、前記軸状部の傾斜角度に関する表示がなされた表示部を備えていることを特徴とする遊技機。」
【００４０】
この態様１では、請求項１〜３のいずれかに記載の構成において、着脱部材が表示部を備えている。この表示部には軸状部の傾斜角度に関する表示がなされる。例えば、軸状部の傾斜の大きさや傾斜の方向などの情報を、文字、記号、色、模様、またこれらを組み合わせた内容によって示し、当該内容を表示部に表示（記載）する。本態様のこのような構成によれば、作業者は、取り付ける着脱部材が所望のものであることを一目で確認することができるため、作業の確実性が増すこととなる。
【００４１】
（態様２）
「請求項１〜３、態様１のいずれかに記載の遊技機であって、
前記着脱部材は、前記軸状部および被係止部が樹脂材料によって一体成形された構成であることを特徴とする遊技機。」
【００４２】
この態様２では、請求項１〜３、態様１のいずれかに記載の構成において、着脱部材は、軸状部および被係止部が樹脂材料によって一体成形された構成となっている。本態様のこのような構成によれば、着脱部材が樹脂製となるため、リサイクル性に優れた遊技盤を構築することが可能となる。特に、着脱部材のもならず遊技盤をも樹脂製とすることで遊技盤全体が樹脂製となり、よりリサイクル性に優れた遊技盤を構築することができる。
【００４３】
（態様３）
「請求項１〜３、態様１、態様２のいずれかに記載の遊技機であって、
前記遊技盤および着脱部材は、透明性の高い樹脂材料を用いて形成されていることを特徴とする遊技機。」
【００４４】
の態様３では、請求項１〜３、態様１、態様２のいずれかに記載の構成において、遊技盤および着脱部材が透明性の高い樹脂材料を用いて形成されている。例えば、ポリカーボネート樹脂がこの樹脂材料の典型例である。「透明性が高い」との態様としては、無色透明、有色透明、乳白色等があり、必要に応じてポリカーボネート樹脂以外の樹脂材料を適宜用いることもできる。本態様のこのような構成によれば、遊技者は、遊技盤の裏面側に配置される表示装置の表示画面を遊技盤を通して視認可能となるため、表示装置を大型化するのに有効である。表示装置を大型化することにより、ビジュアル演出に対する要請にこたえることができ、遊技に対する遊技者の興趣を高めることができる。また、着脱部材を透明性の高い樹脂材料によって形成することによって、当該着脱部材を表示画面の前方に配置した場合であっても、表示画面の視認性が低下するのを防止することができる。
なお、この表示装置としては、第１種パチンコ機と称呼される遊技機において、大当たりに関与する図柄や背景を変動表示する表示装置が本態様の表示装置の典型例である。
【００４５】
【発明の効果】
以上説明したように、本発明によれば、遊技機において、遊技盤の合理的な構築技術が実現されることとなった。
【図面の簡単な説明】
【図１】
本発明の遊技機の一実施の形態であるパチンコ機１０１の遊技盤１０３の全体構成を示す図である。
【図２】
図１中の着脱部材１２０に対応した箇所における遊技盤１０３の断面図である。
【図３】
着脱部材１２０の側面図である。
【図４】
着脱部材１２０を基部１２２側からみた図である。
【図５】
挿入孔１３０を遊技盤１０３の表面側からみた図である。
【図６】
遊技盤１０３の挿入孔１３０に着脱部材１２０を取り付ける様子を示す図である。
【図７】
別の実施の形態の着脱部材２２０の側面図である。
【図８】
別の実施の形態の着脱部材３２０を基部１２２側からみた図である。
【図９】
図８に示す着脱部材３２０に対応した挿入孔３３０を遊技盤１０３の表面側からみた図である。
【図１０】
遊技盤１０３のうち表示画面１１１ａの前面に着脱部材１２０を配置した場合の構成を示す図である。
【符号の説明】
１０１  パチンコ機
１０３  遊技盤
１０５  遊技領域
１１０  第１種始動口
１１１  表示装置
１１１ａ  表示画面
１１２  開閉部材
１１３  通過口
１１４  風車
１１５  入賞口
１１６  遊技釘
１２０  着脱部材
１２１  釘部
１２２  基部
１２３  第１凸部
１２４  第２凸部
１２５  鍔部
１２６  表示部
１３０  挿入孔
１３１  第１凹部
１３２  第２凹部
１３３  当接部